(57)【要約】【課題】消費電力を増大させることなく、内部で生じるジッタを抑制する。【解決手段】分周器１−１の後段に同期補償回路１−２を設ける。同期補償回路１−２にマスタクロックを分岐入力する。同期補償回路１−２は、分周器１−１からの分周後信号のレベルが変位すると予想される点を中心とするマスタクロックの１周期分の時間帯にのみ動作状態となり、それ以外の時間帯は保持状態となる。これにより、電力の消費が極僅かとなり、消費電力を増大させることなく、内部で生じるジッタを抑制することができるようになる。【選択図】  図１
2005064995.tif 000002
【特許請求の範囲】
【請求項１】
マスタクロックを分周し分周後信号として出力する分周器と、
この分周器からの分周後信号を前記マスタクロックに対して所定量位相がずれた同期補償用マスタクロックに同期して取り込み、分周出力として出力する同期補償回路とを備え、
前記同期補償回路は、前記分周後信号のレベルが変位すると予想される点を起点とする所定時間帯にのみ前記分周後信号のレベルを前記同期補償用マスタクロックに同期して取り込む動作状態とされ、それ以外の時間帯は取り込んだレベルを保持する保持状態とされる
ことを特徴とする分周装置。
【請求項２】
請求項１に記載された分周装置において、
前記同期補償用マスタクロックは、前記分周後信号のレベルが変位すると予想される点を起点とする所定時間帯のみしか発生しないことを特徴とする分周装置。
【請求項３】
請求項１又は２に記載された分周装置において、
前記分周後信号のレベルが変位すると予想される点を起点とする所定時間帯を前記同期補償回路に知らせる手段を備えたことを特徴とする分周装置。
【請求項４】
マスタクロックを分周し分周後信号として出力する分周器と、
この分周器からの分周後信号に対して所定量位相がずれた同期補償用分周信号を前記マスタクロックに同期して取り込み、分周出力として出力する同期補償回路とを備え、
前記同期補償回路は、前記同期補償用分周後信号のレベルが変位すると予想される点を起点とする所定時間帯にのみ前記同期補償用分周後信号のレベルを前記マスタクロックに同期して取り込む動作状態とされ、それ以外の時間帯は取り込んだレベルを保持する保持状態とされる
ことを特徴とする分周装置。
【発明の詳細な説明】
【技術分野】
【０００１】
この発明は、高速のクロック信号（マスタクロック）を分周して所望の周波数の信号（分周出力）を出力する分周装置に関するものである。
【背景技術】
【０００２】
従来より、この種の分周装置を使用した例として、図１５に示すようなシンセサイザ回路がある（非特許文献１参照）。このシンセサイザ回路は、基準発振器１０１と、分周器１０２と、位相比較器１０３と、チャージポンプ１０４と、ループフィルタ１０５と、発振器（ＶＣＯ）１０６と、パルス・スワロ型分周器１０７とを備えている。
【０００３】
パルス・スワロ型分周器１０７は、入力されるマスタクロックを外部からプログラムされた分周数だけ分周し、分周出力として位相比較器１０３へ与える。このパルス・スワロ型分周器１０７が分周装置に相当する。
【０００４】
このシンセサイザ回路は、発振器１０６の発振周波数を正確に基準発振器１０１の整数倍の周波数になるように制御することができることから、例えば携帯電話機などの無線通信器の発振回路として用いられている。
【０００５】
【非特許文献１】「ＣＭＯＳアナログ回路設計技術」、株式会社トリケップス発行、１９８８年１１月１３日発行、２２６頁。
【発明の開示】
【発明が解決しようとする課題】
【０００６】
上述したシンセサイザ回路において、パルス・スワロ型分周器（分周装置）１０７の内部でジッタが発生した場合、位相比較器１０３への分周出力の位相雑音に直接影響を与える。この分周装置１０７において発生するジッタを抑制する方法として、例えば、分周装置１０７内の各回路（プリスケーラやカウンタなど）を全てマスタクロックに同期させて動作させることが考えられる。しかしながら、分周装置１０７内の各回路を全てマスタクロックに同期させて動作させようとすると、高速のマスタクロックで動作させるためにその回路規模が膨大となり、消費電力が著しく増大するという問題があった。
【０００７】
本発明はこのような課題を解決するためになされたもので、その目的とするところは、消費電力を増大させることなく、内部で生じるジッタを抑制することができる分周装置を提供することにある。
【課題を解決するための手段】
【０００８】
このような目的を達成するために本発明は、マスタクロックを分周し分周後信号として出力する分周器と、この分周器からの分周後信号をマスタクロックに対して所定量位相がずれた同期補償用マスタクロックに同期して取り込み、分周出力として出力する同期補償回路とを設け、且つ、同期補償回路を、分周後信号のレベルが変位すると予想される点を起点とする所定時間帯にのみ分周後信号のレベルを同期補償用マスタクロックに同期して取り込む動作状態とし、それ以外の時間帯は取り込んだレベルを保持する保持状態とするようにしたものである。
この発明によれば、マスタクロックが分周器によって分周され、分周後信号として同期補償回路に与えられる。同期補償回路は、分周器からの分周後信号を同期補償用マスタクロック（マスタクロックに対して所定量位相がずれたクロック）に同期して取り込み、分周出力として出力する。この際、同期補償回路は、分周後信号のレベルが変位すると予想される点を起点とする所定時間帯にのみ動作状態となり、分周後信号のレベルを同期補償用マスタクロックに同期して取り込む。それ以外の時間帯は保持状態となり、取り込んだレベルを保持する。
【０００９】
例えば、マスタクロックに対して１／４周期位相が遅れたクロックを同期補償用マスタクロックとし、この同期補償用マスタクロックが「Ｈ」レベルに立ち上がった時点で分周後信号のレベルを取り込むものとする。この場合、分周後信号の「Ｈ」レベルへの立ち上がり時点がジッタにより例えば前後に１／４周期（合計１／２周期）揺らいでも、分周後信号のレベルが「Ｈ」レベルへ立ち上がると予想される点から１／４周期遅れて同期補償用マスタクロックが「Ｈ」レベルに立ち上がった時点で分周後信号のレベルが取り込まれるので、分周出力にはジッタによる影響が現れないものとなる。同様に、分周後信号の「Ｌ」レベルへの立ち下がり時点がジッタにより例えば前後に１／４周期（合計１／２周期）揺らいでも、分周後信号のレベルが「Ｌ」レベルへ立ち下がると予想される点から１／４周期遅れて同期補償用マスタクロックが「Ｈ」レベルに立ち上がった時点で分周後信号のレベルが取り込まれるので、分周出力にはジッタによる影響が現れないものとなる。また、同期補償回路は分周後信号のレベルが変位すると予想される点を起点とする所定時間帯、例えば分周後信号のレベルが変位すると予想される点を中心とするマスタクロックの１周期分の時間帯しか動作状態とならないので、電力の消費が極僅かとなる。
【００１０】
分周後信号のレベルが変位すると予想される点を起点とする所定時間帯、すなわち同期補償回路を動作状態とする時間帯は、１周期分の時間帯に限られるものではない。実際上、１周期分の時間帯を動作状態とするのはかなり困難である。逆に、そこまで正確に分周後信号の変位を予想することができれば、その予想とマスタクロックのみで最終出力が作れてしまう。言い換えると、そこまでの高精度の予想は、一般的に分周器の働きとほとんど等価であるといえ、その予想が正確であるとすると本願の意味がほとんどなくなってしまう。したがって、分周後信号のレベルが変位すると予想される点はあくまでも精度が悪いと考えるべきで、同期補償回路を動作状態とする時間帯は１周期分とするよりも、２周期分以上とした方がより現実的である。２周期分以上の時間帯を動作状態としても、連続的に動作させる場合に比較して十分に短い時間しか動作しないため、電力の消費は極僅かとなる。
【００１１】
なお、本発明において、同期補償用マスタクロックは、同期補償回路にマスタクロックを与えて内部で生成するようにしてもよいし、外部で生成して同期補償回路に与えるようにしてもよい。
また、同期補償用マスタクロックを連続的に発生させ、分周後信号のレベルが変位すると予想される点を起点とする所定時間帯のみ、同期補償用マスタクロックに同期して分周後信号のレベルを取り込むようにしてもよいし、分周後信号のレベルが変位すると予想される点を起点とする所定時間帯のみ同期補償用マスタクロックを発生させ、この所定時間帯のみ発生する同期補償用マスタクロックに同期して分周後信号のレベルを取り込むようにしてもよい。
また、分周後信号のレベルが変位すると予想される点を起点とする所定時間帯は、マスタクロックをカウントして同期補償回路の内部で知るようにしてもよいし、マスタクロックをカウントして外部から同期補償回路に知らせるようにしてもよい。
【００１２】
また、分周後信号のレベルが変位すると予想される点を起点とする所定時間帯は、分周後信号のレベルが変位すると予想される点を起点とし、遅延方向にのみ定めてもよい。
また、分周器からの分周後信号をマスタクロックに対して所定量位相がずれた同期補償用マスタクロックに同期して取り込むのではなく、分周器からの分周後信号に対して所定量位相がずれた同期補償用分周信号をマスタクロックに同期して取り込むようにしてもよい。この場合、同期補償用分周後信号のレベルが変位すると予想される点を起点とする所定時間帯にのみ同期補償回路を動作状態とし、それ以外の時間帯は同期補償回路を保持状態とする。
【発明の効果】
【００１３】
本発明によれば、分周後信号のレベルが変位すると予想される点を起点とする所定時間帯にのみ同期補償回路が動作状態とされ、それ以外の時間帯は同期補償回路が保持状態とされるので、同期補償回路での電力消費が極僅かとなり、消費電力を増大させることなく、内部で生じるジッタを抑制することができるようになる。
【発明を実施するための最良の形態】
【００１４】
以下、本発明を図面に基づいて詳細に説明する。
〔実施の形態１〕
図１はこの発明に係る分周装置の一実施の形態の要部を示す概略構成図である。この分周装置１は、マスタクロックを分周し分周後信号として出力する分周器１−１と、分周器１−１へのマスタクロックを分岐入力とし、このマスタクロックに対して１／４周期位相が遅れた同期補償用マスタクロックを生成し、この生成した同期補償用マスタクロックに同期して分周器１−１からの分周後信号を取り込み、分周出力として出力する同期補償回路１−２とを有している。
【００１５】
また、本実施の形態において、同期補償回路１−２は、分周器１−１からの分周後信号のレベルが変位すると予想される点を中心とするマスタクロックの１周期分の時間帯にのみ動作状態（分周後信号のレベルを同期補償用マスタクロックに同期して取り込む状態）となり、それ以外の時間帯は保持状態（取り込んだレベルを保持する状態）となるように構成されている。
【００１６】
図３にこの分周装置１の動作をあらわすタイムチャートを示す。図３（ａ）は分周器１−１および同期補償回路１−２へのマスタクロック、図３（ｂ）は同期補償回路１−２の内部で生成される同期補償用マスタクロック、図３（ｃ）は分周器１−１から出力される分周後信号、図３（ｄ）は同期補償回路１−２から出力される分周出力である。
【００１７】
なお、図３においては、説明を簡便にするために、分周器１−１には遅延時間がないものとして記載している。分周器１−１の遅延時間を考慮する場合には、分周後信号に対する時間軸を、分周器１−１の遅延時間分だけ遅らせたものとして読み替えればよい。以降の説明におけるタイミングチャートにも、同様の考え方が適用される。
【００１８】
分周装置１へのマスタクロックは、周期Ｔｃｋを有しており、分周器１−１および同期補償回路１−２へ与えられる。分周器１−１は、入力されるマスタクロックを所定の分周数で分周し、分周後信号として出力する。この分周後信号は、分周器１−１において発生したジッタＴｊを有する信号となって同期補償回路１−２に入力される。
【００１９】
同期補償回路１−２は、分周器１−１へのマスタクロックを分岐入力とし、このマスタクロックに対して１／４周期位相が遅れた同期補償用マスタクロックを生成する。また、同期補償回路１−２は、マスタクロックをカウントし、分周器１−１からの分周後信号のレベルが「Ｈ」レベルに変位すると予想される点Ｐ１を割り出し、この点Ｐ１を中心とするマスタクロックの１周期分の時間帯ＴＭ（ＴＭ＝Ｔｃｋ）の間だけ動作状態となる。この動作状態において、同期補償回路１−２は、分周器１−１からの分周後信号のレベルを同期補償用マスタクロックの「Ｈ」レベルへの立ち上がりエッジで取り込む。
【００２０】
〔時間帯ＴＭ１〕
同期補償回路１−２は、マスタクロックをカウントし、分周器１−１からの分周後信号のレベルが「Ｈ」レベルに変位すると予想される点Ｐ１を割り出し、この点Ｐ１を中心とするマスタクロックの１周期分の時間帯ＴＭ１（ＴＭ１＝Ｔｃｋ）において、動作状態となる。
【００２１】
ここで、ジッタにより、分周後信号の「Ｈ」レベルへの立ち上がり時点が前後に１／４周期（Ｔｊ＝Ｔｃｋ／２）揺らぐ場合を想定してみる。この場合、分周後信号のレベルが「Ｈ」レベルに変位すると予想される点Ｐ１よりもＴｃｋ／４だけ遅れた点Ｐ２で同期補償用マスタクロックが「Ｈ」レベルに立ち上がり、この点Ｐ２での分周後信号のレベルが取り込まれて分周出力とされる。点Ｐ２において、分周後信号にはジッタが含まれておらず、分周出力は「Ｌ」レベルから「Ｈ」レベルへと変化する。これにより、分周出力の「Ｈ」レベルへの立ち上がり時点が同期補償用マスタクロックに同期するものとなり、ジッタが生じないものとなる。
【００２２】
同期補償回路１−２は、点Ｐ１を中心とするマスタクロックの１周期分の時間帯ＴＭ１で動作状態となった後、その取り込んだレベルを保持する保持状態に切り替わる。これにより、点Ｐ２において「Ｌ」レベルから「Ｈ」レベルへ変化した分周出力は、「Ｈ」レベル状態を維持する。
【００２３】
〔時間帯ＴＭ２〕
次に、同期補償回路１−２は、マスタクロックをカウントし、分周器１−１からの分周後信号のレベルが「Ｌ」レベルに変位すると予想される点Ｐ３を割り出し、この点Ｐ３を中心とするマスタクロックの１周期分の時間帯ＴＭ２（ＴＭ２＝Ｔｃｋ）において、動作状態となる。
【００２４】
ここで、ジッタにより、分周後信号の「Ｌ」レベルへの立ち下がり時点が前後に１／４周期（Ｔｊ＝Ｔｃｋ／２）揺らぐ場合を想定してみる。この場合、分周後信号のレベルが「Ｌ」レベルに変位すると予想される点Ｐ３よりもＴｃｋ／４だけ遅れた点Ｐ４で同期補償用マスタクロックが「Ｈ」レベルに立ち上がり、この点Ｐ４での分周後信号のレベルが取り込まれて分周出力とされる。点Ｐ４において、分周後信号にはジッタが含まれておらず、分周出力は「Ｈ」レベルから「Ｌ」レベルへと変化する。これにより、分周出力の「Ｌ」レベルへの立ち下がり時点が同期補償用マスタクロックに同期するものとなり、ジッタが生じないものとなる。
【００２５】
同期補償回路１−２は、点Ｐ３を中心とするマスタクロックの１周期分の時間帯ＴＭ２で動作状態となった後、その取り込んだレベルを保持する保持状態に切り替わる。これにより、点Ｐ４において「Ｈ」レベルから「Ｌ」レベルへ変化した分周出力は、「Ｌ」レベル状態を維持する。
【００２６】
以上の説明から分かるように、この分周装置１において、同期補償回路１−２は分周後信号のレベルが変位すると予想される点を中心とするマスタクロックの１周期分の時間帯ＴＭでしか動作状態とならず、それ以外の時間帯は保持状態となるので、電力の消費が極僅かとなる。これにより、消費電力を増大させることなく、内部で生じるジッタを抑制することができるようになる。
【００２７】
この実施の形態１では、分周後信号のレベルが変位すると予想される点を中心とするマスタクロックの１周期分の時間帯でのみ同期補償回路１−２を動作状態としたが、実際上、１周期分の時間帯を動作状態とするのはかなり困難である。逆に、そこまで正確に分周後信号の変位を予想することができれば、その予想とマスタクロックのみで最終出力が作れてしまう。言い換えると、そこまでの高精度の予想は、分周器１−１の働きとほとんど等価であるといえ、その予想が正確であるとすると本願の意味がほとんどなくなってしまう。したがって、分周後信号のレベルが変位すると予想される点はあくまでも精度が悪いと考えるべきで、同期補償回路１−２を動作状態とする時間帯は１周期分とするよりも、２周期分以上とした方がより現実的である。２周期分以上の時間帯を動作状態としても、連続的に動作させる場合に比較して十分に短い時間しか動作しないため、電力の消費は極僅かとなる。
【００２８】
〔実施の形態２〕
図２はこの発明に係る分周装置の他の実施の形態の要部を示す概略構成図である。この分周装置２は、マスタクロックを分周し分周後信号として出力する分周器２−１と、分周器２−１へのマスタクロックを分岐入力とし、このマスタクロックに対して１／４周期位相が遅れた同期補償用マスタクロックを生成し、この生成した同期補償用マスタクロックに同期して分周器２−１からの分周後信号を取り込み、分周出力として出力する同期補償回路２−２とを有している。
【００２９】
この実施の形態２では、分周器２−１を第１の分周器２−１１と第２の分周器（カウンタ）２−１２とで構成し、第１の分周器２−１１においてマスタクロックを分周し分周後信号Ａとして第２の分周器２−１２へ与え、第２の分周器２−１２において分周後信号Ａをさらに分周し分周後信号Ｂとして同期補償回路２−２へ与えるようにしている。第１の分周器２−１１としては、高速で動作する２モジュラスプリケーラを、第２の分周器２−１２としては、プログラマブルカウンタなどを用いることができる。
【００３０】
また、第２の分周器２−１２において、分周後信号Ａの「Ｈ」レベルへの立ち上がりをカウントし、「Ｈ」レベルの予報信号を出力することによって、同期補償回路２−２への分周後信号Ｂのレベルが変位すると予想される点を中心とする時間帯（この例では、３カウント分の時間帯）を同期補償回路２−２へ知らせるようにしている。
【００３１】
また、同期補償回路２−２は、分周器２−１からの予報信号が「Ｈ」レベルとなっている時間帯のみ動作状態（分周後信号Ｂのレベルを同期補償用マスタクロックに同期して取り込む状態）となり、それ以外の時間帯は保持状態（取り込んだレベルを保持する状態）となるように構成されている。
【００３２】
図４にこの分周装置２の動作をあらわすタイムチャートを示す。図４（ａ）は分周器２−１および同期補償回路２−２へのマスタクロック、図４（ｂ）は同期補償回路２−２の内部で生成される同期補償用マスタクロック、図４（ｃ）は第１の分周器２−１１から出力される分周後信号Ａ、図４（ｄ）は第２の分周器２−１２から出力される予報信号、図４（ｅ）は第２の分周器２−１２から出力される分周後信号Ｂ、図４（ｆ）は同期補償回路２−２から出力される分周出力である。
【００３３】
分周装置２へのマスタクロックは分周器２−１および同期補償回路２−２へ与えられる。分周器２−１において、第１の分周器２−１１は、入力されるマスタクロックを所定の分周数で分周し、分周後信号Ａとして出力する。この分周後信号Ａは第２の分周器２−１２へ与えられる。
【００３４】
第２の分周器２−１２は、入力される分周後信号Ａをさらに分周し、分周後信号Ｂとして出力する。この分周後信号Ｂは、分周器２−１において発生したジッタＴｊを有する信号となって同期補償回路２−２に入力される。
【００３５】
また、第２の分周器２−１２は、分周後信号Ａの「Ｈ」レベルへの立ち上がりをカウントし、上述した予報信号を同期補償回路２−２へ与える。この例において、分周器２−１２は、分周後信号Ａの「Ｈ」レベルへの立ち上がりをＮ−１回カウントすると同期補償回路２−２への予報信号を「Ｈ」レベルに立ち上げ、Ｎ＋１回カウントすると同期補償回路２−２への予報信号を「Ｌ」レベルに立ち下げる。また、分周器２−１２は、分周後信号Ａの「Ｈ」レベルへの立ち上がりをＮ回カウントする毎に分周後信号Ｂを「Ｈ」レベルへ立ち上げる。
【００３６】
同期補償回路２−２は、分周器２−１へのマスタクロックを分岐入力とし、このマスタクロックに対して１／４周期位相が遅れた同期補償用マスタクロックを生成する。また、同期補償回路２−２は、分周器２−１からの予報信号が「Ｈ」レベルとなっている時間帯ＴＭ（ＴＭ＝４Ｔｃｋ）の間だけ動作状態となる。この動作状態において、同期補償回路２−２は、分周器２−１からの分周後信号Ｂのレベルを同期補償用マスタクロックの「Ｈ」レベルへの立ち上がりエッジで取り込む。
【００３７】
〔時間帯ＴＭ２〕
分周器２−１２は、分周後信号Ａの「Ｈ」レベルへの立ち上がりをＮ−１回カウントした時点Ｐ１において同期補償回路２−２への予報信号を「Ｈ」レベルに立ち上げ、Ｎ＋１回カウントした時点Ｐ３において同期補償回路２−２への予報信号を「Ｌ」レベルに立ち下げる。同期補償回路２−２は、分周器２−１２からの予報信号を受けて、この予報信号が「Ｈ」レベルとなっている間、すなわち時間帯ＴＭ２の間、動作状態となる。
【００３８】
ここで、ジッタにより、分周後信号Ｂの「Ｈ」レベルへの立ち上がり時点が前後に１／４周期（Ｔｊ＝Ｔｃｋ／２）揺らぐ場合を想定してみる。この場合、分周後信号のレベルが「Ｈ」レベルに変位すると予想される点Ｐ２よりもＴｃｋ／４だけ遅れた点Ｐ４で同期補償用マスタクロックが「Ｈ」レベルに立ち上がり、この点Ｐ４での分周後信号Ｂのレベルが取り込まれて分周出力とされる。点Ｐ４において、分周後信号Ｂにはジッタが含まれておらず、分周出力は「Ｌ」レベルから「Ｈ」レベルへと変化する。これにより、分周出力の「Ｈ」レベルへの立ち上がり時点が同期補償用マスタクロックに同期するものとなり、ジッタが含まれないものとなる。
【００３９】
同期補償回路２−２は、分周器２−１２からの予報信号が「Ｌ」レベルとなると、動作状態から保持状態に切り替わる。これにより、点Ｐ４において「Ｌ」レベルから「Ｈ」レベルへ変化した分周出力は、「Ｈ」レベル状態を維持する。
【００４０】
以上の説明から分かるように、この分周装置２において、同期補償回路２−２は分周後信号Ｂのレベルが変位すると予想される点を中心とするマスタクロックの４周期分の時間帯ＴＭでしか動作状態とならず、それ以外の時間帯は保持状態となるので、電力の消費が極僅かとなる。これにより、消費電力を増大させることなく、内部で生じるジッタを抑制することができるようになる。
【００４１】
なお、上述した実施の形態１（２）では、同期補償回路１−２（２−２）にマスタクロックを与え、同期補償回路１−２（２−２）の内部で同期補償用マスタクロックを生成するようにしたが、外部に遅延回路を設け、この遅延回路で遅延させたマスタクロックを同期補償用マスタクロックとして同期補償回路１−２（２−２）に与えるようにしてもよい。
【００４２】
また、上述した実施の形態１（２）では、同期補償用マスタクロックを連続的に発生させ、分周後信号（分周後信号Ｂ）のレベルが変位すると予想される点を中心とするマスタクロックの１周期分（４周期分）の時間帯のみ同期補償用マスタクロックに同期して分周後信号（分周後信号Ｂ）のレベルを取り込むようにしたが、分周後信号（分周後信号Ｂ）のレベルが変位すると予想される点を中心とするマスタクロックの１周期分（４周期分）の時間帯のみ同期補償用マスタクロックを発生させ、この時間帯のみ発生する同期補償用マスタクロックに同期して分周後信号（分周後信号Ｂ）のレベルを取り込むようにしてもよい。
【００４３】
また、上述した実施の形態１（２）では、分周後信号（分周後信号Ｂ）のレベルが変位すると予想される点を中心とするマスタクロックの１周期分（４周期分）の時間帯のみ同期補償用マスタクロックに同期して分周後信号（分周後信号Ｂ）のレベルを取り込むようにしたが、この時間帯はマスタクロックの１周期分や４周期分に限られるものではない。また、動作状態とする時間帯ＴＭは、分周後信号（分周後信号Ｂ）のレベルが変位すると予想される点を起点とし、遅延方向へのみ定めるようにしてもよい。
【００４４】
また、上述した実施の形態１（２）では、分周器１−１（２−１）からの分周後信号をマスタクロックに対して所定量位相がずれた同期補償用マスタクロックに同期して取り込むようにしたが、分周器１−１（２−１）からの分周後信号に対して所定量位相がずれた同期補償用分周信号をマスタクロックに同期して取り込むようにしてもよい。この場合、同期補償用分周後信号のレベルが変位すると予想される点を起点とする所定時間帯にのみ同期補償回路を動作状態とし、それ以外の時間帯は同期補償回路１−２（２−２）を保持状態とする。また、同期補償用分周後信号は、同期補償回路１−２（２−２）内で生成する。
【００４５】
〔特願２００３−１７４５４３号に記載した可変分周器〕
図５に本出願人が先に提案した特願２００３−１７４５４３号に記載した可変分周器を示す。この可変分周器３００では、反転／非反転器３０４として排他的論理和回路（ＥＸ−ＯＲ）を使用し、固定分周器３０５として、またフィードバック用分周器３０８としてＴＦＦ（２分周器）を使用し、反転／非反転器３０４の前段（クロック入力端子３０１と反転／非反転器３０４の入力端子３０４ａとの間）に低速化用分周器（ＴＦＦ：２分周器）３０９を設けている。
【００４６】
反転／非反転器３０４において、ＥＸ−ＯＲの一方の入力につながる端子３０４ａが入力端子、他方の入力につながる端子３０４ｂが制御端子となる。入力端子３０４ａは低速化用分周器３０９を介してクロック入力端子３０１に接続され、制御端子３０４ｂと固定分周器３０５の出力との間にはフィードバックパス３０７が形成されている。フィードバックパス３０７には接続器３０６とフィードバック用分周器３０８が設けられている。図６に反転／非反転器（排他的論理和回路）３０４の真理値表を示す。
【００４７】
〔フィードバックパスが遮断されている場合〕
制御信号Ｍが「０」レベルの場合、接続器３０６はフィードバックパス３０７をオフとし、固定分周器３０５の出力と反転／非反転器３０４の制御端子３０４ｂとの接続を切り離す。この場合、反転／非反転器３０４の制御端子３０４ｂのレベルは「０」レベルとされ、反転／非反転器３０４は、図６に示した真理値表に従う排他的論理和動作により、入力クロック信号を反転せずにそのまま通過させ、分周前クロック信号として固定分周器３０５に与える。
【００４８】
図７にフィードバックパス３０７が遮断されている場合のタイムチャートを示す。図７（ａ）はクロック入力端子３０１に与えられるクロック信号（マスタクロック）、図７（ｂ）は反転／非反転器３０４の入力端子３０４ａに与えられる入力クロック信号、図７（ｃ）は反転／非反転器３０４から出力される分周前クロック信号（固定分周器３０５に与えられる分周前クロック信号）、図７（ｄ）は固定分周器３０５から出力される出力クロック信号、図７（ｅ）は反転／非反転器３０４の制御端子３０４ｂの信号レベルである。
【００４９】
この例では、クロック入力端子３０１からのクロック信号が低速化用分周器３０９によって２分周され、これによって低速度化されたクロック信号が入力クロック信号として反転／非反転器３０４の入力端子３０４ａへ与えられる。このタイムチャートから分かるように、制御信号Ｍが「０」レベルの場合、可変分周器３００は、クロック入力端子３０１からのクロック信号のクロックパルスが４回与えられる毎に１パルスの出力クロック信号を発生し、４分周器として動作する。
【００５０】
〔フィードバックパスが接続されている場合〕
制御信号Ｍが「１」レベルの場合、接続器３０６はフィードバックパス３０７をオンとし、固定分周器３０５の出力と反転／非反転器３０４の制御端子３０４ｂとの間を接続する。
【００５１】
図８にフィードバックパス３０７が接続されている場合のタイムチャートを示す。図８（ａ）はクロック入力端子３０１に与えられるクロック信号（マスタクロック）、図８（ｂ）は反転／非反転器３０４の入力端子３０４ａに与えられる入力クロック信号、図８（ｃ）は反転／非反転器３０４から出力される分周前クロック信号（固定分周器３０５に与えられる分周前クロック信号）、図８（ｄ）は固定分周器３０５から出力される出力クロック信号、図８（ｅ）はフィードバックパス３０７を介して反転／非反転器３０４の制御端子３０４ｂへ与えられるフィードバック信号である。
【００５２】
なお、このタイムチャートにおいて、反転／非反転器３０４の入力端子３０４ａに与えられた信号が反転／非反転器３０４、固定分周器３０５、フィードバックパス３０７を通過して反転／非反転器３０４の制御端子３０４ｂに戻されるまでの遅延時間Ｔｄは、入力クロック信号のパルス幅Ｔｃｋよりも若干大きいものとしている。
【００５３】
このタイムチャートから分かるように、制御信号Ｍが「１」レベルの場合、可変分周器３００は、クロック入力端子３０１からのクロック信号のクロックパルスが６回与えられる毎に２パルスの出力クロック信号を発生し、３分周器として動作する。
【００５４】
この可変分周器３００では、要求される奇数分周および偶数分周を切り替えて行わせるために、反転／非反転器３０４を設けており、結果として低速化用分周器３０９の立ち上がりと立ち下がりの両エッジを用いて分周している。したがって、低速化用分周器３０９の出力のデューティ比が１：１でない場合に、出力クロック信号にはジッタＴｊが発生する（図９参照）。
【００５５】
これに対して、図１０に示すように固定分周器３０５の後段に同期補償回路３１０を設け、この同期補償回路３１０に低速化用分周器３０９へのクロック信号（マスタクロック）を分岐入力するようにすれば、同期補償用マスタクロックに同期したジッタＴｊが含まれない分周出力を得ることができる（図１１参照）。
【００５６】
同期補償回路の一例として図１２に示すようなＤＦＦ型のラッチ回路が考えられる。この同期補償回路４００においては、マスタクロックでの動作速度が要求されるため、できるだけ高速な回路が望ましいという観点から、カレントモードの回路としているが、勿論、ＣＭＯＳ論理によるラッチ回路などを用いてもよいことは言うまでもない。図１２に示した同期補償回路４００への入力（ＤＮ，ＤＰ：分周後信号）が変位する前後の時間帯だけ、バイアス電位ＶＢを印加し、回路を動作状態とする。図１３にこの同期補償回路４００の動作をあらわすタイムチャートを示す。
【００５７】
バイアス電位ＶＢが零または非常に小さい値の場合には、回路全体の消費電力は非常に小さいが、高速動作は不可能であるので、同期補償用マスタクロックＣＮ，ＣＰが入力されていても出力が変化することはない。一方、ＶＢに電圧を印加して回路を動作状態にすれば、消費電力は大きくなるが、入力信号ＤＰ，ＤＮを同期補償用マスタクロックＣＰ，ＣＮのタイミングに同期させて出力することが可能になり、ジッタが抑制される。
【００５８】
分周装置全体の消費電力において、この同期補償回路４００を付加した場合の電力増大は、同期補償回路４００の活性化率が低い場合には殆ど無視できるレベルにできる。例えば、パルススワロー型の分周器によって従来技術の説明の項で記述したようなシンセサイザを構成する場合、このパルススワロー型分周器の分周数は数千から数十万程度となるので、出力値が変位する間隔はマスタクロックの周期Ｔｃｋに比べて十分長い。したがって、その変位する時刻のみ同期補償回路４００を活性化すれば、その電力消費は無視できるレベルにできる。
【００５９】
なお、図１３に示したタイムチャートでは、バイアス電位ＶＢを制御することによって同期補償回路４００の機能（動作状態／保持状態）を実現するようにしたが、図１４に示すタイムチャートを示すように、同期補償用マスタクロックＣＮ，ＣＰの入力有無を制御することによって実現してもよい。図１４の例では、同期補償回路４００への同期補償用マスタクロックの入力有無とＶＢとを同時に制御しているが、ＶＢは動作状態の電位を常に与えておいて同期補償用マスタクロックの入力有無のみを制御してもよいことは言うまでもない。
【図面の簡単な説明】
【００６０】
【図１】本発明に係る分周装置の一実施の形態（実施の形態１）の要部を示す概略構成図である。
【図２】本発明に係る分周装置の他の実施の形態（実施の形態２）の要部を示す概略構成図である。
【図３】図１に示した分周装置の動作をあらわすタイムチャートである。
【図４】図２に示した分周装置の動作をあらわすタイムチャートである。
【図５】本出願人が先に提案した特願２００３−１７４５４３号に記載された可変分周器を示す図である。
【図６】この可変分周器で使用する反転／非反転器（排他的論理和回路）の真理値表を示す図である。
【図７】この可変分周器においてフィードバックパスが遮断されている場合のタイムチャートである。
【図８】この可変分周器においてフィードバックパスが接続されている場合のタイムチャートである。
【図９】この可変分周器において低速化用分周器の出力のデューティ比が１：１でない場合に出力クロック信号にジッタが発生する状況を示す図である。
【図１０】同期補償回路を設けた可変分周器を示す図である。
【図１１】この同期補償回路を設けた可変分周器の動作をあらわすタイムチャート  である。
【図１２】同期補償回路の一例としてＤＦＦ型のラッチ回路を示す回路図である。
【図１３】この同期補償回路の動作をあらわすタイムチャートである。
【図１４】マスタクロックの入力有無を制御することによって同期補償回路の機能（動作状態／保持状態）を実現するようにした場合のタイムチャートである。
【図１５】従来の分周装置を使用したシンセサイザ回路の回路図である。
【符号の説明】
【００６１】
１…分周装置、１−１…分周器、１−２…同期補償回路、２…分周装置、２−１…分周器、２−１１…第１の分周器、２−１２…第２の分周器（カウンタ）、２−２…同期補償回路、３００…可変分周器、３０１…クロック入力端子、３０２…クロック出力端子、３０３…制御信号入力端子、３０４…反転／非反転器（排他的論理和回路）、３０４ａ…入力端子、３０４ｂ…制御端子、３０５…固定分周器、３０６…接続器、３０７…フィードバックパス、３０８…フィードバック用分周器、３０９…低速化用分周器、３１０…同期補償回路、４００…同期補償回路。
【図１】
2005064995.tif 000003
【図２】
2005064995.tif 000004
【図３】
2005064995.tif 000005
【図４】
2005064995.tif 000006
【図５】
2005064995.tif 000007
【図６】
2005064995.tif 000008
【図７】
2005064995.tif 000009
【図８】
2005064995.tif 000010
【図９】
2005064995.tif 000011
【図１０】
2005064995.tif 000012
【図１１】
2005064995.tif 000013
【図１２】
2005064995.tif 000014
【図１３】
2005064995.tif 000015
【図１４】
2005064995.tif 000016
【図１５】
2005064995.tif 000017